(57)【特許請求の範囲】
【請求項１】
塩ビ製小口径マンホ−ルのインバ−ト部の底部外側に、土砂に突っ込み可能の安定脚を、射出成形時に一体成形して突設し、該安定脚の内側に、該安定脚と連なり、前記インバ−ト部の軸線に沿い、かつ、点検筒直下の位置において、補強リブを、射出成形時に一体成形して突設することにより、前記安定脚の機能とする安定性を補完すると共に、インバ−ト部の強度を向上させたことを特徴とする塩ビ製小口径マンホ−ル安定脚。
【請求項２】
請求項１における補強リブの他、射出成形時のスプル−跡側に、該補強リブより高さの低いメッシュリブを、射出成形時に一体成形して突設した塩ビ製小口径マンホ−ルの安定脚。
【発明の詳細な説明】
【０００１】
【発明の属する技術分野】
本発明は、塩ビ製小口径マンホ−ルの安定脚に関するものである。
【０００２】
【従来の技術】
現在、この種のマンホ−ルは、下水道用硬質塩化ビニル製小型マンホ−ルとして日本下水道協会規格に規格されて普及されるようになった。
【０００３】
かかる塩ビ製小口径マンホ−ルは、公道、私道および歩道などで車両総重量２ｔｏｎ以上の車両が通行する場所や、民地内、路地などで車両総重量２ｔｏｎ以下の車両が通行する場所に主として埋設される。
【０００４】
ところで、かかる塩ビ製小口径マンホ−ルについて、本出願人は多数提案（例えば、実用新案登録第２５４７４７９号公報、同第２４２４７５５号公報、同第２５２４７５６号公報、同第２５５４３２２号公報、同第２５４４１３２号公報、同第２５３０１４９号公報等参照）し、これを商品化しているが、これは、従来、本出願人が開発し、実用化して塩ビ製下水道施設に貢献している塩ビ製小口径ますを、その実績を踏まえて、略スケ−ルアップ（例えば、点検筒径を３００ｍｍφにアップしたもの）したもので、前記規格にも適合した信頼性の高い商品として普及に努めている。
【０００５】
かかる塩ビ製小口径マンホ−ル５０について概説する。
【０００６】
図５および図６（図５のＡ〜Ａ断面図）において、５１は射出成形製マンホ−ル本体であって、上流側にゴム輪受口付流入口５２、下流側に差口付流出口５３、上向きにゴム輪受口付点検筒用接続口５４がそれぞれ一体成形されて設けられている。
【０００７】
このゴム輪受口５２には下水本管の上流管５５、差口付流出口５３には下水本管の下流管５６、ゴム輪受口付点検筒用接続口５４には長さ（埋設深さに略相当するもの）１．２ｍ以上の点検筒５７が、それぞれ接続される。
【０００８】
そして、この図示の塩ビ製小口径マンホ−ル５０はストレ−ト型と呼ばれ、マンホ−ル本体５１の内部に形成されたインバ−ト部５８は、その軸線がストレ−トでその形状が略半円筒に形成され、したがって、このインバ−ト部５８の中央部は、前記点検筒５７の直下に位置している。
【０００９】
また、このマンホ−ル本体５１のインバ−ト部５８の底部外側には安定脚５９が一体射出成形されて突設し、この安定脚５９は、通常リング状または櫛歯状リングになっている。勿論、この塩ビ製小口径マンホ−ル５０がドロップ型の場合は、安定脚を設けていない。
【００１０】
そして、この安定脚５９は、前記日本下水道協会規格では特に規定されず、その形状は自由であり、また、その寸法についても勿論、規定されていない。
【００１１】
かかる安定脚５９は、汎用されている塩ビ製小口径ますの場合、そのインバ−ト部自身に所定の勾配を形成しているため、インバ−ト部の補強は勿論、ます本体の安定と水平維持の２つの機能を有しているが、塩ビ製小口径マンホ−ル５０の場合、次のような据付け施工をするため、その安定脚５９は、マンホ−ル本体５１の安定機能のみを果たしていることの知見を得た。
【００１２】
すなわち、塩ビ製小口径マンホ−ル５０の据付け工法を述べると、図５および図６において掘削溝６０に砂基礎（本明細書では土砂ともいう）６１を突き固めて構成し、マンホ−ル本体５１が位置する所は、ゴム輪接合のため継手掘り６２をしておく。
【００１３】
そこで、マンホ−ル本体５１の据付けは、下水本管（５５），（５６）の勾配に合わせたインバ−ト部５８の勾配および高さをチェックして仮固定する。次いで、下水本管（５５），（５６）の勾配、軸心および高さをチェックしてから、下水本管（５５），（５６）とインバ−ト部５８のゴム輪接合（５２），（５３）を行う。
【００１４】
このようにした下水本管（５５），（５６）の勾配、軸心および高さを再チェックすると共に、インバ−ト部５８の設計高さ、勾配、軸心等も再チェックし仮固定する。
【００１５】
次いで、インバ−ト部５８の底部外側６３が空洞にならないように左右バランスよく交互に砂を投入し、木だこ等で十分に突き固める。したがって、マンホ−ル本体５１の底部の支持面を大きくし、かつ、側面を十分に突き固めているため、耐路面荷重を増大している。
【００１６】
ところで、小口径マンホ−ル５０の安定脚５９は、そのインバ−ト部５８に所定の勾配が形成されているものの、前記のように下水本管（５５），（５６）によってこのインバ−ト部５８の勾配が更に修正されるから、必ずしも水平に形成する機能はなく、したがって、安定脚５９の高さも一様でなくてもよい、という知見を得た。
【００１７】
一方、従来、塩ビ製（またはポリプロピレン製）小口径ますにおける安定脚について、いくつかの提案がなされているが、これらを分析してみると、次のように大別される。
【００１８】
すなわち、安定脚を平板状にしたもの（例えば、実開昭５１−６９４６２号公報、実開昭５４−１４１７６６号公報第１図のもの、特開平８−２７８８３号公報、特開平９−２４２１７２号公報、特開平９−２４２１７３号公報等参照）、安定脚を櫛歯リング状にしたもの（例えば、実開昭５４−１４１７６４号公報、特公昭５８−５３４０号公報、実公昭６１−４５２６８号公報等参照）、安定脚をリング状にしてインバ−ト部の補強をしたもの（例えば、実開昭５１−２９６５４号公報、実開昭５４−１４１７６６号公報等参照）に大別される。
【００１９】
【発明が解決しようとする課題】
ところが、従来の塩ビ製小口径ますにおける安定脚を、その径および高さを略スケ−ルアップし、かつ、水平を形成する機能を必要としない塩ビ製小口径マンホ−ルの安定脚に適用すると、次のような問題のあることが判明した。
【００２０】
▲１▼塩ビ製小口径ますにおける安定脚を平板状にしたものでは、マンホ−ル本体を、施工現場に特有の勾配にするとき、突き固めた砂基礎が抵抗し勝ちとなり、下水本管との接合がゴム輪接合であるだけに、マンホ−ル本体の勾配度を損なうおそれがあり、ひいては、耐路面荷重を低下させるおそれがある。
【００２１】
▲２▼塩ビ製（またはＰＰ製）小口径ますにおける安定脚をリング状または櫛歯リング状にしたものでは、安定脚の径が拡大し、点検筒が大径かつ長尺になっている塩ビ製小口径マンホ−ルに適用すると、リング状安定脚によるインバ−ト部の強度が低下し、点検筒から点検掃除時に挿入するジェット洗浄用ホ−スの先端ノズル部等の重量物が、安定脚の中央部に不測に落下すれば、インバ−ト部の表面がひび割れするおそれがある。
【００２２】
特に、塩ビ製小口径マンホ−ルはコンクリ−ト製マンホ−ルに比べ、加工性は優れているが、長期にわたり頻繁に行う掃除の際には、その破損の危険性が大になる。
【００２３】
そこで本発明は、かかる問題を解決することを主たる目的とすると共に、成形性良好で安価な安定脚を提供することを副たる目的とするものである。
【００２４】
【課題を解決するための手段】
かかる目的を達成するため、本発明の要旨とするところは、１）塩ビ製小口径マンホ−ルのインバ−ト部の底部外側に、土砂に突っ込み可能の安定脚を、射出成形時に一体成形して突設し、該安定脚の内側に、該安定脚と連なり、前記インバ−ト部の軸線に沿い、かつ、点検筒直下の位置において、補強リブを、射出成形時に一体成形して突設することにより、前記安定脚の機能とする安定性を補完すると共に、インバ−ト部の強度を向上させたことを特徴とする塩ビ製小口径マンホ−ル安定脚にあり、また、２）請求項１における補強リブの他、射出成形時のスプル−跡側に、該補強リブより高さの低いメッシュリブを、射出成形時に一体成形して突設した塩ビ製小口径マンホ−ルの安定脚にある。
【００２５】
したがって、本発明には次のような実施態様が含まれる。
【００２６】
▲１▼安定脚と補強リブとを同一高さにして、射出成形用金型のキャビティや型開きに負担をかけないもの。
【００２７】
▲２▼点検筒と安定脚とを略同心異径にして、点検筒の投影をリング状安定脚からはみ出させ、しかも、その直径上（インバ−ト部の最低部）に補強リブを設け、点検筒を拡径（４５０ｍｍφ）しても、耐衝撃性をもたせたもの。
【００２８】
▲３▼インバ−ト部の肉厚を従来標準のものより若干厚くして耐衝撃性をもたせたもの。
【００２９】
▲４▼補強リブの長さ方向中心に、これと略直交する第２の補強リブを設け、補強リブの補強をしたもの。
【００３０】
【発明の実施の形態】
本発明を、添付図面に示す実施の形態例により詳細に述べる。
図１は本発明の第１の実施の形態例の底面図、図２は図１のＡ〜Ａ断面図、図３は第２の実施の形態例の底面図で、図１の相当図、図４は第３の実施の形態例の底面図で、図１の相当図であり、図５および図６との同一部分は、図示およびその説明を省略するが、符号は同図のものを用いている。
【００３１】
図１において、この塩ビ製小口径マンホ−ル１は射出成形品であり、下水本管（５５），（５６）の口径１５０ｍｍφ、２００ｍｍφまたは２５０ｍｍφ、点検筒の軸長１２００ｍｍ以上、口径３００ｍｍφ、肉厚略５ｍｍ〜９ｍｍの寸法のものに好都合である。
【００３２】
図１図示のものはストレ−ト型であって、マンホ−ル本体２のインバ−ト部３の軸線４がストレ−トで、その形状が略半円筒状に形成されており、インバ−ト部３の底部外側に、径約２００ｍｍφ、高さ約１００ｍｍφ、肉厚約７ｍｍの安定脚５を射出成形時に一体に突設している。
【００３３】
この安定脚５の内側に連設した、インバ−ト部３の軸線４に沿って長寸（高さが長寸のこと）補強リブ６を射出成形時に一体に突設しており、この長寸補強リブ６の高さ、すなわち先端は安定脚５の先端と面一にして、安定脚５の機能とする安定性を補完している。
【００３４】
この長寸補強リブ６の形状は、マンホ−ル本体２の射出成形用スプル−跡７が安定脚５の内側に位置することから、基部肉厚７ｍｍ、先端肉厚５ｍｍの抜き勾配をもっており、安定脚５と共に、砂基礎６１に容易に突っ込み、マンホ−ル本体２の勾配を容易にかつ正確に形成できるようになっている。
【００３５】
また、この長寸補強リブ６の他に、長寸補強リブ６に平行および直交する格子状の短寸（高さが短寸のこと）補強リブ（略１０ｍｍ□のもので、メッシュリブともいう）８を射出成形時に一体に突設し、安定脚５内における肉厚を、外力に対抗するような実質的な増量をして剛性を増大し、ひいては、衝撃荷重等に耐えるようにしている。
【００３６】
特に、メッシュリブ形状にすると、インバ−ト部３の弯曲面に好都合（アンダ−カットは勿論、成形サイクルの迅速化）となる。
【００３７】
したがって、点検筒５１からの、例えば３ｋｇｆの重量物（例えば、不測に落下させる高圧洗浄ノズル）の落下による衝撃荷重等に対する強度を増大すると共に、原料樹脂の節減や成形性に支障のないようにしている。
【００３８】
次に、第２の実施の形態例の安定脚９について述べる。
図３において、これは、１５°、３０°、４５°、６０°、７５°、９０°の曲がり型（但し、６０°しか図示せず）であって、インバ−ト部３の曲がり軸線１０がこれらの数値に相当するゆるやかな曲がりに形成されており、したがって、前記と同様の長寸補強リブ１１は、この曲がり軸線１０に沿って、前記と同様に突設している。
【００３９】
また、短寸補強リブ１２の格子の一部は、図示のように曲がり軸線１０に平行および交叉状の流れ菱形状になっている。
【００４０】
次に、第３の実施の形態例の安定脚１３について述べる。
図４において、これは、４５°、６０°、９０°の合流型であって、インバ−ト部３の軸線が本流軸線１４の他、これらの数値に相当する方向に分岐した分岐軸線１５を有しており、したがって、前記と同様の長寸補強リブ１６は、本流軸線１４および分岐軸線１５に沿って、前記と同様に突設している。
【００４１】
また、短寸補強リブ１７の格子は、これらの本流軸線１４および分岐軸線１５に沿っているため、菱形状に形成されている。
【００４２】
これらのリング状安定脚５，９，１３には、点検筒５１と同心同径か、同心小径になっている場合や、安定脚と点検筒との中心位置がずれている場合等があるが、いずれにしても、長寸補強リブ６，１１，１６は、少なくとも点検筒の直下におけるインバ−ト部の軸線（インバ−ト部の最低部）４，１０，１４，１５に沿うように位置させる（場合によってはリング状安定脚からはみ出して位置させる）ので、長寸補強リブの高さは低くてすむばかりでなく、衝撃荷重の最大値を支承することができる。
【００４３】
なお、本実施の形態例は塩ビ製小口径マンホ−ルで説明したが、本発明はこれに限らず、公道や民地との境界近傍に埋設し、高圧洗浄ジェットノズル等が挿入される塩ビ製小口径公共ますにも適用できるものである。したがって、本明細書では、この公共ますを含めて場合によっては塩ビ製小口径マンホ−ルとも呼ぶことにしている。
【００４４】
【発明の効果】
本発明によると、
▲１▼マンホ−ルとして拡大された安定脚に連なった補強リブを、突設したので、インバ−ト部の肉厚を特に増量せずに（もし、特に増量すると射出成形時における十分な圧力不足となったり、冷却がアンバランスになったり、内部に空洞が生じたりして、かえって強度低下の原因にもなったりして、成形性に支障をきたす）、剛性を増し、耐衝撃性を付与し、殊にインバ−ト部に耐衝撃性を付与し、長年に亘る信頼性の高い塩ビ製小口径マンホ−ルを提供することができる。
【００４５】
特に、点検筒が長尺かつ、大径になる小口径マンホ−ルだけに、落下衝撃が増大するが、これによく耐えることができる。
【００４６】
▲２▼安定脚と補強リブとを連なって射出成形時に成形したので、単独で突設したものに比べ、剛性が得られるばかりでなく、成形性を従来どおりとし、ひいては、生産性を向上させることができる。
【００４７】
▲３▼安定脚と補強リブを共に、下水本管とのゴム輪接合や点検筒とのゴム輪接合がいかんなく発揮させることができるように、土砂に突っ込みまたは接触するようにしたので、マンホ−ルの勾配を現場特有の下水本管の勾配に容易に適合させることができ、排水の流れを、固形物の滞留なく円滑にすることができる。
【００４８】
▲４▼補強リブをインバ−ト部の軸線に沿わしたので、すなわち、弯曲最低部に設けたので、補強リブの高さを短くできるばかりか、落下荷重の最大値を支持することができる。
【００４９】
▲５▼高さ短寸のメッシュリブを設けたので、意外にも、スプル−跡近傍の白化を防止し、商品価値を向上させることができる。
【図面の簡単な説明】
【図１】図１は本発明の第１の実施の形態例の底面図である。
【図２】図１のＡ〜Ａ断面図である。
【図３】第２の実施の形態例の底面図で、図１の相当図である。
【図４】第３の実施の形態例の底面図で、図１の相当図である。
【図５】従来例である。
【図６】図５のＡ〜Ａ断面図である。
【符号の説明】
１…塩ビ製小口径マンホ−ル、２…マンホ−ル本体、３…インバ−ト部、４…軸線、５…安定脚、６…長寸補強リブ、８…短寸補強リブ
【図１】
0004015293.tif 000002
【図２】
0004015293.tif 000003
【図３】
0004015293.tif 000004
【図４】
0004015293.tif 000005
【図５】
0004015293.tif 000006
【図６】
0004015293.tif 000007